【手続補正書】
【提出日】平成17年9月26日(2005.9.26)
【手続補正１】
【補正対象書類名】明細書
【補正対象項目名】特許請求の範囲
【補正方法】変更
【補正の内容】
【特許請求の範囲】
【請求項１】
施設内を監視するホームセキュリティシステムであって、
互いに異なる場所における異常の発生を検知する複数の検知手段と、
互いに異なる場所を撮像する複数の撮像手段と、
前記複数の検知手段と複数の撮像手段との対応関係を記憶している対応関係記憶手段と、
前記対応関係記憶手段に記憶される対応関係を変更する変更手段と、
前記複数の検知手段のうち何れかが異常の発生を検知したときには、前記対応関係記憶手段に記憶されている対応関係に基づいて、異常の発生を検知した検知手段に対応付けられた撮像手段に撮像させる制御手段と
を備えることを特徴とするホームセキュリティシステム。
【請求項２】
前記複数の検知手段と、前記複数の撮像手段と、前記制御手段とは、それぞれの間で、電力を伝送するための電灯線を介して信号を送受信する
ことを特徴とする請求項１記載のホームセキュリティシステム。
【請求項３】
前記ホームセキュリティシステムは、さらに、
入力信号に応じて画像を表示する画像表示手段を備え、
前記撮像手段は、
撮像した画像を示す内容の画像データを前記画像表示手段に送信し、
前記画像表示手段は、
前記画像データに基づいて、前記撮像手段により撮像された画像を表示する
ことを特徴とする請求項２記載のホームセキュリティシステム。
【請求項４】
前記対応関係記憶手段は、
互いに異なる複数種の前記対応関係を記憶しており、
前記変更手段は、
前記複数種の対応関係のうち何れか一種を選択し、
前記制御手段は、
前記選択された種類の対応関係に基づいて、異常の発生を検知した検知手段に対応付けられた撮像手段に撮像させる
ことを特徴とする請求項３記載のホームセキュリティシステム。
【請求項５】
前記ホームセキュリティシステムは、さらに、
通信回線を介して、画像表示手段と通信するとともに、画像の提供を行うサーバを備え、
前記画像表示手段は、
前記撮像手段から取得した画像データを前記サーバに送信し、
前記サーバは、
前記画像データに基づく画像を、前記通信回線を介して自らにアクセスする機器に提供する
ことを特徴とする請求項４記載のホームセキュリティシステム。
【請求項６】
前記ホームセキュリティシステムは、さらに、
前記通信回線を介して前記サーバにアクセスすることで、前記サーバから前記画像データを取得し、前記画像データに基づく画像を表示する携帯電話
を備えることを特徴とする請求項５記載のホームセキュリティシステム。
【請求項７】
前記サーバは、
前記通信回線を介して前記変更手段と通信し、
前記携帯電話は、
前記サーバを介して前記変更手段に対して、前記複数種の対応関係の中から何れか一種を指定し、指定された種類の対応関係を選択するように指示する
ことを特徴とする請求項６記載のホームセキュリティシステム。
【請求項８】
前記携帯電話は、前記サーバを介して前記変更手段に対して、前記対応関係をその種類毎に変更するように指示する
ことを特徴とする請求項６記載のホームセキュリティシステム。
【請求項９】
前記サーバは、前記通信回線を介して前記変更手段と通信し、前記変更手段により選択されている前記対応関係の種類を、前記通信回線を介して自らにアクセスする機器に通知する
ことを特徴とする請求項５記載のホームセキュリティシステム。
【請求項１０】
前記変更手段は、前記対応関係をその種類毎に変更する
ことを特徴とする請求項４記載のホームセキュリティシステム。
【請求項１１】
前記変更手段は、
現在選択している前記対応関係の種類を前記複数の検知手段に通知し、
前記検知手段は、
前記通知結果に基づいて前記種類を報知する報知装置を備える
ことを特徴とする請求項４記載のホームセキュリティシステム。
【請求項１２】
前記変更手段は、
現在選択している前記対応関係の種類を前記複数の撮像手段に通知し、
前記撮像手段は、
前記通知結果に基づいて前記種類を報知する報知装置を備える
ことを特徴とする請求項４記載のホームセキュリティシステム。
【請求項１３】
前記撮像手段は、
前記変更手段に対して、前記複数種の対応関係の中から何れか一種を指定し、指定された種類の対応関係を選択するように指示する
ことを特徴とする請求項４記載のホームセキュリティシステム。
【請求項１４】
前記撮像手段は、前記画像データを前記画像表示手段に送信する前に、圧縮する
ことを特徴とする請求項３記載のホームセキュリティシステム。
【請求項１５】
前記撮像手段は、
前記画像データのデータサイズを前記画像表示手段に通知し、
前記画像表示手段は、
前記通知結果に基づいて、前記画像データを圧縮する必要があるか否かを判別し、圧縮する必要があると判別したときには、必要な圧縮率を算出して、前記圧縮率で圧縮するように前記撮像手段に指示する
ことを特徴とする請求項１４記載のホームセキュリティシステム。
【請求項１６】
前記撮像手段は、前記画像データを分割して送信する
ことを特徴とする請求項３記載のホームセキュリティシステム。
【請求項１７】
前記撮像手段は、分割された個々の画像データを送信するときには、それぞれを識別するための番号を示す識別情報を含めて送信する
ことを特徴とする請求項１６記載のホームセキュリティシステム。
【請求項１８】
前記撮像手段は、水平方向に約１８０°の範囲で望み見た風景を撮像する
ことを特徴とする請求項１記載のホームセキュリティシステム。
【請求項１９】
前記検知手段は、人を検知する人感センサを具備する
ことを特徴とする請求項１記載のホームセキュリティシステム。
【請求項２０】
前記変更手段は、ユーザとの対話に基づいて前記対応関係記憶手段に記憶されている対応関係を変更する
ことを特徴とする請求項１記載のホームセキュリティシステム。
【請求項２１】
互いに異なる場所における異常の発生を検知する複数の検知手段と、互いに異なる場所を撮像する複数の撮像手段とを備えて施設内を監視するホームセキュリティシステムにおける監視方法であって、
前記複数の検知手段と複数の撮像手段との対応関係を予め記憶手段に格納する記憶ステップと、
前記記憶手段に記憶される対応関係を変更する変更ステップと、
前記複数の検知手段のうち何れかが異常の発生を検知したときには、前記記憶手段に記憶されている対応関係に基づいて、異常の発生を検知した検知手段に対応付けられた撮像手段に撮像させる撮像ステップと
を含むことを特徴とする監視方法。
【請求項２２】
前記ホームセキュリティシステムは、前記撮像ステップを行う制御手段を備え、
前記複数の検知手段と、前記複数の撮像手段と、前記制御手段とは、それぞれの間で、電力を伝送するための電灯線を介して信号を送受信する
ことを特徴とする請求項２１記載の監視方法。
【請求項２３】
前記監視方法は、さらに、
撮像された画像を示す内容の画像データを前記撮像手段から画像表示手段に送信する画像送信ステップと、
前記画像表示手段が、前記画像データに基づいて、前記撮像ステップで撮像された画像を表示する表示ステップと
を含むことを特徴とする請求項２２記載の監視方法。
【請求項２４】
前記記憶ステップでは、
互いに異なる複数種の前記対応関係を前記記憶手段に格納し、
前記変更ステップでは、
前記複数種の対応関係のうち何れか一種を選択し、
前記撮像ステップでは、
前記選択された種類の対応関係に基づいて、異常の発生を検知した検知手段に対応付けられた撮像手段に撮像させる
ことを特徴とする請求項２３記載の監視方法。
【請求項２５】
前記監視方法は、さらに、
前記画像表示手段が、前記画像送信ステップで取得した画像データをサーバに送信するサーバ送信ステップと、
前記サーバが、前記画像データに基づく画像を、通信回線を介して自らにアクセスする機器に提供する画像提供ステップと
を含むことを特徴とする請求項２４記載の監視方法。
【請求項２６】
前記監視方法は、さらに、
携帯電話が前記通信回線を介して前記サーバにアクセスするアクセスステップと、
前記携帯電話が前記サーバから前記画像データを取得する画像データ取得ステップと、
前記携帯電話が前記画像データに基づく画像を表示する画像表示ステップと
を含むことを特徴とする請求項２５記載の監視方法。
【請求項２７】
前記監視方法は、さらに、
前記携帯電話が、前記複数種の対応関係の中から何れか一種を指定し、指定された種類の対応関係を前記変更ステップで選択させる選択指示ステップ
を含むことを特徴とする請求項２６記載の監視方法。
【請求項２８】
前記変更ステップでは、前記対応関係をその種類毎に変更する
ことを特徴とする請求項２４記載の監視方法。
【請求項２９】
前記監視方法は、さらに、
前記撮像手段が前記画像データを前記画像表示手段に送信する前に圧縮する圧縮ステップ
を含むことを特徴とする請求項２３記載の監視方法。
【請求項３０】
前記監視方法は、さらに、
前記撮像手段が前記画像データのデータサイズを前記画像表示手段に通知するサイズ通知ステップと、
前記画像表示手段が、前記通知結果に基づいて、前記画像データを圧縮する必要があるか否かを判別する判別ステップと、
前記画像表示手段が、前記判別ステップで圧縮する必要があると判別したときには、必要な圧縮率を算出する算出ステップと、
前記画像表示手段が、前記圧縮率で圧縮するように前記撮像手段に指示する圧縮指示ステップと
を含むことを特徴とする請求項２９記載の監視方法。
【請求項３１】
前記監視方法は、さらに、
前記撮像手段が前記画像データを分割して送信する分割送信ステップ
を含むことを特徴とする請求項２３記載の監視方法。
【請求項３２】
互いに異なる場所における異常の発生を検知する複数の検知手段と、互いに異なる場所を撮像する複数の撮像手段とを備えて施設内を監視するホームセキュリティシステムのためのプログラムであって、
前記複数の検知手段と複数の撮像手段との対応関係を予め記憶手段に格納する記憶ステップと、
前記記憶手段に記憶される対応関係を変更する変更ステップと、
前記複数の検知手段のうち何れかが異常の発生を検知したときには、前記記憶手段に記憶されている対応関係に基づいて、異常の発生を検知した検知手段に対応付けられた撮像手段に撮像させる撮像ステップと
を含むことを特徴とするプログラム。
【請求項３３】
前記ホームセキュリティシステムは、前記撮像ステップを行う制御手段を備え、
前記複数の検知手段と、前記複数の撮像手段と、前記制御手段とは、それぞれの間で、電力を伝送するための電灯線を介して信号を送受信する
ことを特徴とする請求項３２記載のプログラム。
【請求項３４】
前記プログラムは、さらに、
撮像された画像を示す内容の画像データを前記撮像手段から画像表示手段に送信する画像送信ステップと、
前記画像表示手段が、前記画像データに基づいて、前記撮像ステップで撮像された画像を表示する表示ステップと
を含むことを特徴とする請求項３３記載のプログラム。
【請求項３５】
前記記憶ステップでは、
互いに異なる複数種の前記対応関係を前記記憶手段に格納し、
前記変更ステップでは、
前記複数種の対応関係のうち何れか一種を選択し、
前記撮像ステップでは、
前記選択された種類の対応関係に基づいて、異常の発生を検知した検知手段に対応付けられた撮像手段に撮像させる
ことを特徴とする請求項３４記載のプログラム。
【請求項３６】
前記プログラムは、さらに、
前記画像表示手段が、前記画像送信ステップで取得した画像データをサーバに送信するサーバ送信ステップと、
前記サーバが、前記画像データに基づく画像を、通信回線を介して自らにアクセスする機器に提供する画像提供ステップと
を含むことを特徴とする請求項３５記載のプログラム。
【請求項３７】
前記プログラムは、さらに、
携帯電話が前記通信回線を介して前記サーバにアクセスするアクセスステップと、
前記携帯電話が前記サーバから前記画像データを取得する画像データ取得ステップと、
前記携帯電話が前記画像データに基づく画像を表示する画像表示ステップと
を含むことを特徴とする請求項３６記載のプログラム。
【請求項３８】
前記プログラムは、さらに、
前記携帯電話が、前記複数種の対応関係の中から何れか一種を指定し、指定された種類の対応関係を前記変更ステップで選択させる選択指示ステップ
を含むことを特徴とする請求項３７記載のプログラム。
【請求項３９】
前記変更ステップでは、前記対応関係をその種類毎に変更する
ことを特徴とする請求項３５記載のプログラム。
【請求項４０】
前記プログラムは、さらに、
前記撮像手段が前記画像データを前記画像表示手段に送信する前に圧縮する圧縮ステップ
を含むことを特徴とする請求項３４記載のプログラム。
【請求項４１】
前記プログラムは、さらに、
前記撮像手段が前記画像データのデータサイズを前記画像表示手段に通知するサイズ通知ステップと、
前記画像表示手段が、前記通知結果に基づいて、前記画像データを圧縮する必要があるか否かを判別する判別ステップと、
前記画像表示手段が、前記判別ステップで圧縮する必要があると判別したときには、必要な圧縮率を算出する算出ステップと、
前記画像表示手段が、前記圧縮率で圧縮するように前記撮像手段に指示する圧縮指示ステップと
を含むことを特徴とする請求項４０記載のプログラム。
【請求項４２】
前記プログラムは、さらに、
前記撮像手段が前記画像データを分割して送信する分割送信ステップ
を含むことを特徴とする請求項３４記載のプログラム。
【請求項４３】
二台以上の機器間の連動を管理するコントローラ装置であって、
状態の変化を検知した前記機器が送信する信号を受け取る検知信号受信手段と、
前記二台以上の機器間の対応関係を記憶している対応関係記憶手段と、
前記対応関係記憶手段に記憶される対応関係を変更する変更手段と、
状態の変化を検知した前記機器が送信する前記信号受信時に、前記対応関係記憶手段に記憶されている対応関係に基づいて、前記信号を送信した前記機器と対応付けしている一台もしくは複数の前記機器を制御する制御手段と
を備えることを特徴とするコントローラ装置。
【請求項４４】
前記二台以上の機器は、互いに異なる場所における異常の発生を検知する一つもしくは複数の検知用機器と、互いに異なる場所を撮像する一台もしくは複数の撮像用機器であり、
状態の変化を検知した前記検知用機器が送信する前記信号受信時に、前記対応関係記憶手段に記憶されている対応関係に基づいて、前記信号を送信した前記検知用機器と対応付けしている一台もしくは複数の前記撮像用機器に撮像要求を送信する
ことを特徴とする請求項４３記載のコントローラ装置。
【請求項４５】
前記コントローラ装置は、さらに、前記撮像用機器が撮像した画像データを受信する画像受信手段と、
前記画像受信手段にて受信した前記画像データの内容を示す画像を表示する画像表示手段とを備える
ことを特徴する請求項４４記載のコントローラ装置。
【請求項４６】
前記対応関係記憶手段は、
互いに異なる複数種の前記対応関係を記憶しており、
前記変更手段は、
前記複数種の対応関係のうち何れか一種を選択し、
前記制御手段は、
前記選択された種類の対応関係に基づいて、異常の発生を検知した検知用機器に対応付けられた撮像用機器に撮像させる
ことを特徴とする請求項４４記載のコントローラ装置。
【請求項４７】
前記コントローラ装置は、さらに、
前記画像データに基づく画像を、通信回線を介して自らにアクセスする機器に提供する画像データ提供手段を備える
ことを特徴とする請求項４５記載のコントローラ装置。